(57)【要約】【課題】  壁や天井に設置された換気装置本体を運転するために、別の場所に設置されたスイッチ回路から操作指令を送っている。換気装置の設置工事においては、換気装置本体とスイッチ回路との間に複数本の信号線を配線する必要があり、接続箇所が多いため作業に時間がかかるのと、誤接続を起こしやすいという問題があった。【解決手段】  スイッチ回路と入力回路と商用交流電源とで直列回路を構成する。スイッチ回路では各操作指令に応じて商用交流電源の交流波形から正半波波形、負半波波形、全波波形を取り出し１本の信号線上に出力する。入力回路ではその波形信号を正半波成分、負半波成分に分離し、それに基づいて制御回路で各操作指令を認識して換気装置を制御する。【選択図】        図２
2011038665.tif 000002
【特許請求の範囲】
【請求項１】
換気装置本体の外に設置され、商用交流電源の接地極あるいは非接地極のいずれかと一端を接続し、前記商用交流電源の正半波波形または負半波波形または全波波形のいずれかの波形信号を取り出して出力するスイッチ回路と、
前記換気装置本体に内蔵され、一端を前記スイッチ回路の他の一端と１本の線で接続し、他の一端を前記商用交流電源の前記スイッチ回路との接続極とは異なる側の極と接続し、前記波形信号を入力して正半波成分および負半波成分に分離する入力回路と、
前記換気装置本体に内蔵され、前記正半波成分および負半波成分によって設定された運転指令を判定し、その運転指令に基づいて前記換気装置本体に設けられた機器を制御する制御回路と、
を備えたことを特徴とする換気装置
【請求項２】
第１の換気装置本体および第２の換気装置本体の外に設置され、商用交流電源の接地極あるいは非接地極のいずれかと一端を接続し、前記商用交流電源の正半波波形または負半波波形または全波波形のいずれかの波形信号を取り出して出力するスイッチ回路と、
前記第１の換気装置本体に内蔵され、一端を前記スイッチ回路の他の一端と１本の線で接続し、他の一端を前記商用交流電源の前記スイッチ回路との接続極とは異なる側の極と接続し、前記波形信号を入力して正半波成分および負半波成分に分離する第１の入力回路と、
前記第１の換気装置本体に内蔵され、前記第１の入力回路による正半波成分および負半波成分によって設定された運転指令を判定し、その運転指令に基づいて前記第１の換気装置本体に設けられた機器を制御する第１の制御回路と、
前記第２の換気装置本体に内蔵され、一端を前記スイッチ回路の他の一端あるいは前記第１の入力回路の一端のいずれかと１本の線で接続し、他の一端を前記商用交流電源の前記スイッチ回路との接続極とは異なる側の極と接続し、前記波形信号を入力して正半波成分および負半波成分に分離する第２の入力回路と、
前記第２の換気装置本体に内蔵され、前記第２の入力回路による正半波成分および負半波成分によって設定された運転指令を判定し、その運転指令に基づいて前記第２の換気装置本体に設けられた機器を制御する第２の制御回路と、
を備えたことを特徴とする換気装置
【請求項３】
前記スイッチ回路は、所定極性の整流特性を有する整流素子とスイッチとを直列接続した第１の直列回路と、前記第１の直列回路の前記整流素子とは逆極性の整流特性を有する整流素子とスイッチとを直列接続した第２の直列回路と、スイッチのみからなる第３の直列回路とのうち、少なくとも２つの直列回路をそれぞれ並列に接続した回路からなり、
前記入力回路は、発光部の極性を互いに逆方向に並列接続した２つのフォトカプラからなる
ことを特徴とする請求項１または請求項２に記載の換気装置
【請求項４】
前記第１の換気装置本体および前記第２の換気装置本体にそれぞれ設けられ、前記正半波成分および負半波成分によって設定された前記運転指令を異なる内容に切り換える切換手段
を備えたことを特徴とする請求項２に記載の換気装置
【発明の詳細な説明】
【技術分野】
【０００１】
この発明は、スイッチの操作により運転指令を送信して、その運転指令に基づいて制御される換気装置に関する。
【背景技術】
【０００２】
熱交換換気装置などの換気装置は、その運転の入／切や、風量切り換え(たとえば強・中・弱など)を、室内状況に応じて使用者が任意に操作できるように構成されている。換気装置本体は壁の上方部や天井に取り付けられていることが多いため、それに対する操作方法として、使用者が使いやすい高さの壁に備えられたスイッチ回路によって行われるのが通常である。このスイッチ回路は壁に設けられたスイッチボックスに収納されていることが多い。換気装置本体とスイッチ回路とは信号線により接続されていて、運転入／切指令や風量切り換え指令は、スイッチ回路からこの信号線を経由して換気装置本体内の制御回路に送られる。制御回路は運転入／切指令や風量切り換え指令に従って換気装置を運転制御する。なお、この種の換気装置に関する従来技術としては、特許文献１に開示されている。
【先行技術文献】
【特許文献】
【０００３】
【特許文献１】特開２００６−１７７６１０号公報(第４頁、第２、４図)
【特許文献２】特開平６−１２４６１９号公報(第２頁、第１図)
【発明の概要】
【発明が解決しようとする課題】
【０００４】
前述したような換気装置の運転においては、運転入／切やタイマー運転、風量切換(強・中・弱など)などの各種の運転モードがある。使用者がスイッチ回路の操作によりそれらの運転モードを任意に選択して換気装置を運転する場合、スイッチ回路にはその運転モード数に応じたスイッチ数が必要になってくる。さらに、そのスイッチ数に応じて、スイッチ回路と換気装置本体とを結ぶ信号線の配線数も決まってくる。具体的には、単純に考えて(スイッチ数×２)本、回路ＧＮＤなど１本の共通線を利用したとしても(スイッチ数＋１)本の配線が必要になる。
そのため、換気装置の運転モードの種類が多ければスイッチ回路と換気装置本体との間の配線数が多くなり、設置工事の際の配線作業も多くなっていた。また、配線数が多ければ、誤配線の恐れも多くなり、接続ミスがないように十分注意して配線作業を行う必要があった。なお、誤配線してしまうと、たとえば強風量が得たくて強スイッチを押したのに換気装置は弱風量で運転する、などの不具合が生ずる。
また、特許文献２に開示されているようなペンダントスイッチに関する従来技術においても、押釦スイッチ装置のスイッチ部と出力部とを接続する信号線は最少でも２本必要であるため、やはり誤配線の恐れがあり、誤配線してしまうと、押したスイッチとそれに対する機器の動作とが一致しないという不具合が生ずるという同様の問題があった。
【０００５】
この発明は、換気装置に関する上記のような問題を解決するためになされたものであり、設置工事時の作業性の改善、信頼性の向上を実現するものである。
【課題を解決するための手段】
【０００６】
この発明に係る換気装置は、商用交流電源と、換気装置本体の外に設置され、前記商用交流電源の接地極あるいは非接地極のいずれかと一端を接続し、前記商用交流電源の正半波波形または負半波波形または全波波形のいずれかの波形信号を取り出して出力するスイッチ回路と、前記換気装置本体に内蔵され、一端を前記スイッチ回路の他の一端と１本の線で接続し、他の一端を前記商用交流電源の前記スイッチ回路との接続極とは異なる側の極と接続し、前記波形信号を入力して正半波成分および負半波成分に分離する入力回路と、前記換気装置本体に内蔵され、前記正半波成分および負半波成分によって設定された運転指令を判定し、その運転指令に基づいて前記換気装置本体に設けられた機器を制御する制御回路とを備えるようにしたものである。
【発明の効果】
【０００７】
この発明は、商用交流電源の正半波波形または負半波波形または全波波形のいずれかの波形信号を取り出し、それらを運転指令に対応させるとともに、商用交流電源とスイッチ回路と入力回路とによって直列回路を構成するように接続したので、スイッチ回路が収納されているスイッチボックスと入力回路が内蔵されている換気装置本体との間の配線が簡単になる。すなわち配線の作業性が改善される。また、配線１本だけなので誤配線の恐れがなく、指定どおりの風量で動かないような不具合は発生しない。
【図面の簡単な説明】
【０００８】
【図１】この発明の実施の形態１を示す換気装置を示す構成図である。
【図２】この発明の実施の形態１を示す換気装置の回路図である。
【図３】この発明の実施の形態１を示す換気装置の動作タイミングチャート図である。
【図４】この発明の実施の形態１を示す換気装置の動作タイミングチャート図である。
【図５】この発明の実施の形態１を示す換気装置の動作タイミングチャート図である。
【図６】この発明の実施の形態２を示す換気装置の回路図である。
【図７】この発明の実施の形態３を示す換気装置の回路図である。
【図８】この発明の実施の形態４を示す換気装置の回路図である。
【図９】この発明の実施の形態５を示す換気装置の回路図である。
【発明を実施するための形態】
【０００９】
実施の形態１．
図１、図２、図３〜５は、それぞれこの発明の実施の形態１を示す換気装置を示す構成図、回路図、動作タイミングチャート図である。
まず、図１により構成の概要を説明する。換気装置には、給気と排気の間で熱交換するタイプの熱交換換気装置や、熱交換しないタイプの換気装置があるが、ここでは熱交換換気装置で説明する。換気装置本体１は、室外の空気を室内に給気するための給気風路２と、室内の空気を室外に排気する排気風路３を備えている。給気風路２には給気流を形成する給気用の送風機４が、排気風路３には排気流を形成する排気用の送風機５がそれぞれ設けられている。給気風路２と排気風路３は一部において交差しており、この交差部に空気対空気で熱交換を行う熱交換器６が組み込まれている。商用交流電源７は換気装置本体１内の送風機４、送風機５および換気装置の制御部８への電源を供給する。換気装置本体１は屋外に面する壁の上部や、天井(ダクトにより屋外と給排気風路を接続)に設置される。スイッチ回路９ａは、使用者が操作することによって、換気装置の運転入／切の指令や、風量切り換えの指令を換気装置本体１内の制御部８に出力する。制御部８はその指令に基づいて送風機４、送風機５の制御等を実施する。スイッチ回路９ａは、使用者が操作しやすいように適切な高さの壁等に設置されたスイッチボックス９内に収納されている。換気装置本体１、商用交流電源７、スイッチ回路９ａは電源線、信号線で接続されている。
【００１０】
次に、図２により詳細な構成を説明する。換気装置本体１内の制御部８には、入力回路１０、制御回路１１が内蔵されている。また、換気装置本体１外のスイッチボックス９にはスイッチ回路９ａが設置されている。前記スイッチ回路９ａは、スイッチ１２と所定極性の整流特性を有する整流素子１３とが直列に接続された第１の直列回路と、スイッチ１４と前記第１の直列回路の前記整流素子とは逆極性の整流特性を有する整流素子１５とが直列に接続された第２の直列回路と、スイッチ１６のみからなる第３の直列回路とをそれぞれ並列に接続した回路により形成されている。この実施の形態では、整流素子１３、整流素子１５として、それぞれダイオードが逆極性となるような方向で使われている。
入力回路１０は、フォトカプラ発光部１７ａ、フォトカプラ受光部１７ｂ、フォトカプラ発光部１８ａ、フォトカプラ受光部１８ｂにより構成されている。フォトカプラ発光部１７ａと、フォトカプラ発光部１８ａとは互いに逆の極性になるように並列に接続されている。並列接続されたフォトカプラ発光部１７ａ、１８ａと直列に抵抗器１９が接続されている。フォトカプラ受光部１７ｂのコレクタ側は制御部８内の回路電源(たとえばＤＣ１２Ｖなど)に接続され、エミッタ側は抵抗器２０を介して回路ＧＮＤに接続されている。さらに、エミッタ側は別の抵抗器２１を介して、制御回路１１の入力端子２２に接続されている。また、フォトカプラ受光部１８ｂのコレクタ側は前記回路電源に接続され、エミッタ側は抵抗器２３を介して回路ＧＮＤに接続されている。さらに、エミッタ側は別の抵抗器２４を介して、制御回路１１の入力端子２５に接続されている。ここで、制御回路１１としては、具体的にはマイクロコンピュータや論理回路などを用いている。
【００１１】
商用交流電源７は、換気装置本体１の設置時に、住宅内の商用交流電源配線と換気装置本体１の電源入力端子とを接続することにより、換気装置本体１に供給可能になる。換気装置本体１内の制御部８においては、前記電源入力端子の一方と入力回路１０の一端とが接続されている。したがって、入力回路１０の一端側は、商用交流電源７の接地極７ａあるいは非接地極７ｂのいずれかと接続されることになる。このようにして換気装置本体１に供給された商用交流電源７による交流電力は、制御部８内で回路電源(たとえばＤＣ１２Ｖなど)を生成し、その回路電源によって制御部８が駆動される。また、商用交流電源７による交流電力は、送風機４、送風機５を駆動する電源にもなる。
また、スイッチボックス９に収納されるスイッチ回路９ａは、スイッチボックス９近傍に配線されている住宅内の商用交流電源配線を利用して、スイッチ回路９ａの一端と商用交流電源７の他の一端とを接続する。このときの商用交流電源７の他の一端は、入力回路１０の一端と接続した商用交流電源７の極とは異なる側の極とする。すなわち、入力回路１０の一端と商用交流電源７の接地極７ａとが接続されたのであれば、スイッチ回路９ａの一端は商用交流電源７の非接地極７ｂと接続する。逆に、入力回路１０の一端と商用交流電源７の非接地極７ｂとが接続されたのであれば、スイッチ回路９ａの一端は商用交流電源７の接地極７ａと接続する。
次に、スイッチ回路９ａの他の一端と換気装置本体１内の入力回路１０の他の一端とを信号線２６で接続する。これによって、商用交流電源７とスイッチ回路９ａと入力回路１０とは直列に接続されて、直列回路を形成することになる。そして、スイッチ回路９ａと入力回路１０との間は信号線１本のみで配線されることになる。
【００１２】
次に、動作について詳細に説明する。スイッチ回路９ａ内のスイッチ１２、スイッチ１４、スイッチ１６のオン状態がそれぞれ、換気装置の風量強運転指令、換気装置の風量中運転指令、換気装置の風量弱運転指令に対応するものとする。また、いずれか１個のスイッチしかオン状態を保持できないものとする。また、全スイッチがオフになった状態は、換気装置の運転停止指令に対応する。
まず、スイッチ１２をオンさせた場合(強運転)の動作を説明する。図３に示すように、オフ状態であったスイッチ１２をオン状態にする(図３(ａ))と、信号線２６には、スイッチ１２、ダイオード１３により商用交流電源７の正の半波波形のみが現れる(図３(ｂ))。この正半波波形に対し、入力回路１０のフォトカプラ発光部１７ａには逆方向電圧とゼロ電圧とが周期的(商用交流電源の１周期毎。以下同様とする。)に印加される。同様にフォトカプラ発光部１８ａには順方向電圧とゼロ電圧とが周期的に印加される。そのため、フォトカプラ発光部１８ａのみが周期的に発光し、フォトカプラ発光部１７ａは発光しない。したがって、フォトカプラ受光部１８ｂのトランジスタが周期的にオン状態となるので、制御回路１１の入力端子２５には周期的にＨｉレベルの信号が入力される(図３(ｄ))。また、フォトカプラ発光部１７ｂのトランジスタはオフ状態であり、制御回路１１の入力端子２２には常にＬｏレベルの信号が入力される(図３(ｃ))。
【００１３】
スイッチ１４をオンさせた場合(中運転)の動作を、図４に示す。オフ状態であったスイッチ１４をオン状態にする(図４(ａ))と、信号線２６には、スイッチ１４、ダイオード１５により商用交流電源７の負の半波波形のみが現れる(図４(ｂ))。この負半波波形に対し、入力回路１０のフォトカプラ発光部１７ａには順方向電圧とゼロ電圧とが周期的に印加される。同様にフォトカプラ発光部１８ａには逆方向電圧とゼロ電圧とが周期的に印加される。そのため、フォトカプラ発光部１７ａのみが周期的に発光し、フォトカプラ発光部１８ａは発光しない。したがって、フォトカプラ受光部１７ｂのトランジスタが周期的にオン状態となるので、制御回路１１の入力端子２２には周期的にＨｉレベルの信号が入力される(図４(ｃ))。また、フォトカプラ発光部１８ｂのトランジスタはオフ状態であり、制御回路１１の入力端子２５には常にＬｏレベルの信号が入力される(図４(ｄ))。
【００１４】
スイッチ１６をオンさせた場合(弱運転)の動作を、図５に示す。オフ状態であったスイッチ１６をオン状態にする(図５(ａ))と、信号線２６には、スイッチ１６により商用交流電源７の全波波形が現れる(図５(ｂ))。この全波波形に対し、入力回路１０のフォトカプラ発光部１７ａには順方向電圧と逆方向電圧とが交互に印加される。同様にフォトカプラ発光部１８ａには逆方向電圧と順方向電圧とが交互に印加される。そのため、フォトカプラ発光部１７ａおよびフォトカプラ発光部１８ａが交互に発光する。したがって、フォトカプラ受光部１７ｂのトランジスタが周期的にオン状態となるので、制御回路１１の入力端子２２には周期的にＨｉレベルの信号が入力される(図５(ｃ))。また、フォトカプラ発光部１８ｂのトランジスタも周期的にオン状態となるので、制御回路１１の入力端子２５にも周期的にＨｉレベルの信号が入力される(図５(ｄ))。
【００１５】
スイッチ１２、スイッチ１４、スイッチ１６のすべてをオフさせた場合は、信号線２６には交流信号波形が現れず、フォトカプラ発光部１７ａ、１８ａのいずれも発光しない。したがって、フォトカプラ受光部１７ｂ、１８ｂのトランジスタはいずれもオフ状態のままとなり、制御回路１１の入力端子２２、２５にはともにＬｏレベルの信号が入力される。
【００１６】
以上により、スイッチ回路９ａでは、使用者が風量に対応したスイッチを操作(オン)することで、商用交流電源７の正半波波形または負半波波形または全波波形のいずれかの波形信号を取り出して、入力回路１０に出力する。入力回路１０では、スイッチ回路９ａからの波形信号を、正半波成分すなわち入力端子２５の周期的なオン、負半波成分すなわち入力端子２２の周期的オンに分離する。制御回路１１は、入力端子２２、２５の入力電圧レベルの組み合わせが(Ｌｏ、周期的なＨｉ)であれば、スイッチ１２がオンであると認識して、風量強運転を対応させる。また、(周期的なＨｉ、Ｌｏ)であれば、スイッチ１４がオンであると認識して、風量中運転を対応させる。また、(周期的なＨｉ、周期的なＨｉ)であれば、スイッチ１６がオンであると認識して、風量弱運転を対応させる。さらに、(Ｌｏ、Ｌｏ)であれば、すべてのスイッチがオフであると認識して、運転停止を対応させる。このようにして、風量強運転、風量中運転、風量弱運転、運転停止の各運転モードを、換気装置本体１に設けられた機器４、５に対して実行することが可能となる。この実施の形態では、機器４、５として、それぞれ送風機４および送風機５が対応している。
【００１７】
なお、今までの説明では、スイッチ１２、スイッチ１４、スイッチ１６のいずれか１個のスイッチしかオン状態を保持できないものとした。仮に、これらのスイッチのうち複数個が同時にオン状態を保持したとすると、制御回路１１の入力端子２２および入力端子２５のいずれにも周期的にＨｉレベルの信号が入力される(図５(ｃ)および図５(ｄ))。これはスイッチ１６をオンした場合と同じ状態である。こうした場合を想定して、制御回路１１において、入力端子２２、２５の入力電圧レベルの組み合わせ(周期的なＨｉ、周期的なＨｉ)には風量強運転を対応、(Ｌｏ、周期的なＨｉ) には風量中運転を対応、(周期的なＨｉ、Ｌｏ)には風量弱運転を対応、(Ｌｏ、Ｌｏ) には運転停止を対応させておけば、スイッチが複数個押された場合には風量強運転になるというわかりやすい関係で運転させることができる。これは使用者にとって違和感のないものとなる。
【００１８】
以上のように、この実施の形態１では、スイッチ回路と入力回路と商用交流電源とにより直列回路を構成し、スイッチ回路により、商用交流電源の交流波形から正半波波形、負半波波形、全波波形を取り出して出力し、入力回路でその波形信号から正半波成分、負半波成分に分離して、制御回路で各半波成分から操作指令を認識して換気装置を制御するようにしたので、スイッチ回路の設置されるスイッチボックス部と入力回路が内蔵される換気装置本体との間は１本の信号線のみ接続するだけでよい。
したがって、換気装置の設置工事において、信号線の接続作業箇所数が大幅に減少するという効果が得られる。また、接続信号線が１本であるため、誤接続の恐れがなくなり、設置工事の信頼性を大きく向上させることができる。また、接続信号線が１本ですむため、信号線自体の材料費を低減することができるという効果も得られる。さらには、スイッチ数だけ必要だった入力回路のフォトカプラの個数を削減することができ、材料費を低減できる。
【００１９】
実施の形態２．
図６は、この発明の実施の形態２を示す換気装置を示す回路図である。
スイッチ回路９ａは、スイッチ１２と所定極性の整流特性を有する整流素子１３とが直列に接続された第１の直列回路と、スイッチ１４と前記第１の直列回路の前記整流素子とは逆極性の整流特性を有する整流素子１５とが直列に接続された第２の直列回路とをそれぞれ並列に接続した回路により形成されている。なお、これ以外の構成については、実施の形態１と同様である。
【００２０】
この実施の形態２では、実施の形態１と比べ、スイッチ数は少ないが、同じ種類の指令(換気装置の風量強運転、換気装置の風量中運転、換気装置の風量弱運転、運転停止)を送信できるものである。ここで、スイッチ１２とスイッチ１４とは同時にオン状態を取りうるものとする。
すなわち、実施の形態２におけるスイッチ回路９ａのスイッチ１２、スイッチ１４は同時にオンする状態を取りうるので、組み合わせとして、(スイッチ１２のみオン)、(スイッチ１４のみオン)、(スイッチ１２およびスイッチ１４ともにオン)、(スイッチ１２およびスイッチ１４ともにオフ)の４種類がある。ここで、(スイッチ１２のみオン)、(スイッチ１４のみオン)、(スイッチ１２およびスイッチ１４ともにオフ)の各組み合わせは、実施の形態１で説明したスイッチ１２がオン、スイッチ１４がオン、すべてのスイッチがオフと同じ動作である。(スイッチ１２およびスイッチ１４ともにオン)の場合は、商用交流電源７の正の半波波形はスイッチ１２、ダイオード１３を介し、商用交流電源７の負の半波波形はスイッチ１４、ダイオード１５を介して、スイッチ回路９ａを通過するので、信号線２６には図５(ｂ)に示したような全波波形が現れる。したがって、制御回路１１の入力端子２２、２５ではそれぞれ図５(ｃ)、図５(ｄ)に示した入力となる。すなわち、４パターンのスイッチ状態に対応させて、４種類の操作指令を認識することができる。なお、(スイッチ１２およびスイッチ１４ともにオン)＝風量強運転、(スイッチ１２のみオン)＝風量中運転、(スイッチ１４のみオン)＝風量弱運転、(スイッチ１２およびスイッチ１４ともにオフ)＝運転停止というように割り当てれば、スイッチの押した状態と風量との関係がわかりやすく、使用者にとって違和感のないものとなる。
【００２１】
この実施の形態２においても、換気装置の設置工事の際に信号線の接続作業箇所数が大幅に減少するという効果が得られる。また、接続信号線が１本であるため、誤接続の恐れがなくなり、設置工事の信頼性を大きく向上させることができる。また、接続信号線が１本ですむため、信号線自体の材料費を低減することができるという効果も得られる。さらには、操作指令の種類を減らすことなくスイッチ数を減らせるため、やはり材料費を低減することができる。
【００２２】
実施の形態３．
図７は、この発明の実施の形態３を示す換気装置を示す回路図である。この実施の形態では、たとえば広い部屋に複数台の換気装置本体が設置されていて、その複数台の換気装置を一箇所のスイッチ回路から操作指令を送信して一括制御するような場合、もしくは複数の部屋にそれぞれ設置されている換気装置本体を一箇所のスイッチ回路から操作指令を送信して一括制御するような場合を示すものである。図７では換気装置本体が２台の場合を示している。
【００２３】
以下、詳細な構成を説明する。第１の換気装置本体１内に第１の入力回路１０および第１の制御回路１１が、第２の換気装置本体２７内に第２の入力回路２８および第２の制御回路２９がそれぞれ内蔵される。また、スイッチ回路９ａは一台だけ設置される。
商用交流電源７は、第１の換気装置本体１の設置時に、住宅内の商用交流電源配線と第１の換気装置本体１の電源入力端子とを接続することにより、第１の換気装置本体１に供給可能になる。第１の換気装置本体１内の制御部８においては、前記電源入力端子の一方と第１の入力回路１０の一端とが接続されている。したがって、入力回路１０の一端側は、商用交流電源７の接地極７ａあるいは非接地極７ｂのいずれかと接続されることになる。次に第２の換気装置本体２７を設置する際、同様に住宅内の商用交流電源配線と第２の換気装置本体２７の電源入力端子とを接続するが、このとき、第１の入力回路１０の一端側と接続された商用交流電源７の極と同じ側の極と、第２の入力回路２８の一端側とを接続するようにする。すなわち、第１の入力回路１０の一端側と第２の入力回路２８の一端側とが商用交流電源７の同じ極に接続されるようにする。このようにして第１の換気装置本体１および第２の換気装置本体２７に供給された商用交流電源７による交流電力は、制御部８内および制御部２９内で回路電源(たとえばＤＣ１２Ｖなど)を生成し、その回路電源によって制御部８および制御部２９が駆動される。また、商用交流電源７による交流電力は、第１の換気装置本体１内の送風機４、送風機５および第２の換気装置本体２７内の送風機を駆動する電源にもなる。
また、スイッチボックス９に収納されるスイッチ回路９ａは、スイッチボックス９近傍に配線されている住宅内の商用交流電源配線を利用して、スイッチ回路９ａの一端と商用交流電源７の他の一端とを接続する。このときの商用交流電源７の他の一端は、第１の入力回路１０の一端および第２の入力回路２８の一端と接続した商用交流電源７の極とは異なる側の極とする。すなわち、第１の入力回路１０の一端および第２の入力回路２８の一端と商用交流電源７の接地極７ａとが接続されたのであれば、スイッチ回路９ａの一端は商用交流電源７の非接地極７ｂと接続する。逆に、第１の入力回路１０の一端および第２の入力回路２８の一端と商用交流電源７の非接地極７ｂとが接続されたのであれば、スイッチ回路９ａの一端は商用交流電源７の接地極７ａと接続する。
さらに、スイッチ回路９ａの他の一端と第１の換気装置本体１内の第１の入力回路１０の他の一端とを信号線３０で接続し、スイッチ回路９ａの他の一端と第２の換気装置本体２７内の第２の入力回路２８の他の一端とを信号線３１で接続する。これによって、第１の入力回路１０と第２の入力回路２８とは並列に接続されて並列回路を形成し、この並列回路と商用交流電源７とスイッチ回路９ａとが直列に接続されて直列回路を形成することになる。このとき、スイッチ回路９ａと第１の入力回路１０との間およびスイッチ回路９ａと第２の入力回路２８との間はそれぞれ信号線１本ずつで配線されることになる。
【００２４】
次に、動作について説明する。
第１の入力回路１０と第２の入力回路２８とは並列に接続されており、この並列回路と商用交流電源７とスイッチ回路９ａとが直列に接続されているので、スイッチ回路９ａにおける操作指令は第１の入力回路１０および第２の入力回路２８の両方に送られる。第１の入力回路１０および第２の入力回路２８では、実施の形態１で説明したような半波成分の分離をそれぞれ独立に行い、第１の制御回路１１および第２の制御回路２９にそれぞれ入力する。したがって、本実施の形態の構成により、一箇所のスイッチ回路から操作指令を送信して第１の換気装置本体１および第２の換気装置本体２７を一括制御することができる。
なお、図７では換気装置本体が２台の場合を示し、それに沿って説明したが、換気装置本体が２台を超える複数台の場合でも同様である。
【００２５】
以上のような構成としたので、複数台ある各換気装置本体と、スイッチ回路との接続作業はそれぞれ１本ずつの信号線による配線だけでよく、接続箇所数が大幅に減少する。また、各換気装置本体とスイッチ回路とは、独立した１本の信号線による一対一の接続になるので誤配線も生じない。さらには、各換気装置本体とスイッチ回路との接続信号線が１本で済むため、信号線自体の材料費も大きく低減できる。  
【００２６】
実施の形態４．
図８は、この発明の実施の形態４を示す換気装置を示す回路図である。この実施の形態は、実施の形態３の場合と同様に、たとえば広い部屋に複数台の換気装置本体が設置されていてその複数台の換気装置を一箇所のスイッチ回路から操作指令を送信して一括制御するような場合、もしくは複数の部屋にそれぞれ設置されている換気装置本体を一箇所のスイッチ回路から操作指令を送信して一括制御するような場合を示すものである。図８では換気装置本体が２台の場合を示している。
【００２７】
以下、詳細な構成を説明する。第１の換気装置本体１内に第１の入力回路１０および第１の制御回路１１が、第２の換気装置本体２７内に第２の入力回路２８および第２の制御回路２９がそれぞれ内蔵されている。また、スイッチ回路９ａは一台だけ設置されている。
ここで、実施の形態３と同様に、商用交流電源７と第１の換気装置本体１および第２の換気装置本体２７の電源入力端子とを接続する。このとき、第１の入力回路１０の一端側と第２の入力回路２８の一端側とが商用交流電源７の同じ極に接続されるようにする。
また、スイッチ回路９ａが収納されるスイッチボックス９部において、スイッチボックス９近傍に配線されている住宅内の商用交流電源配線を利用して、スイッチ回路９ａの一端と商用交流電源７の他の一端とを接続する。このときの商用交流電源７の他の一端は、第１の入力回路１０の一端および第２の入力回路２８の一端と接続した商用交流電源７の極とは異なる側の極とする。
さらに、スイッチ回路９ａの他の一端と第１の換気装置本体１内の第１の入力回路１０の他の一端とを信号線３０で接続し、次いで第１の換気装置本体１内の第１の入力回路１０の他の一端と第２の換気装置本体２７内の第２の入力回路２８の他の一端とを信号線３１すなわち渡り線で接続する。これによって、第１の入力回路１０と第２の入力回路２８とは並列に接続されて並列回路を形成し、この並列回路と商用交流電源７とスイッチ回路９ａとが直列に接続されて直列回路を形成することになる。このとき、スイッチ回路９ａと第１の入力回路１０との間、第１の入力回路１０と第２の入力回路２８との間はそれぞれ信号線１本ずつで配線されることになる。
なお、これ以外の部分については、すべて実施の形態３で説明した内容と同様である。
また、図８では換気装置本体が２台の場合を示し、それに沿って説明したが、換気装置本体が２台を超える複数台の場合でも同様である。
【００２８】
以上のような構成としたので、複数台ある各換気装置本体とスイッチ回路との接続作業は、まずスイッチと１台目の換気装置本体とを１本の信号線で接続し、続いて換気装置本体同士を順番に渡り線で接続していくだけでよく、接続箇所数が大幅に減少する。また、各換気装置本体、スイッチ回路とをそれぞれ１本の信号線で順番に接続するだけなので誤接続も生じない。さらには、信号線の材料費も大きく低減できる。なお、各換気装置本体とスイッチボックス間の距離が長い場合は、実施の形態３では各換気装置本体とスイッチボックス間の距離×各換気装置台数＝全信号線の必要長であるため、かなりの長さになってしまうが、実施の形態４では、各換気装置本体とスイッチボックス間の最短のコースを渡り線で接続すればよいので、全信号線の必要長を短くすることができ、材料費の低減に大きく寄与できる。
【００２９】
実施の形態５．
図９は、この発明の実施の形態５を示す換気装置を示す回路図である。この実施の形態では、入力回路による正半波成分および負半波成分を、スイッチ回路の各スイッチの操作に対応して設定された標準の運転指令とは異なる運転指令に切り換えて換気装置を運転するものである。
【００３０】
以下、詳細な構成を説明する。第１の換気装置本体１内および第２の換気装置本体２７内にそれぞれ切換手段３２および切換手段３３が設けられている。切換手段３２は、入力端子２２、入力端子２５の入力電圧レベルの組み合わせと運転指令との対応を、標準設定とするかあるいは標準と異なる設定とするかを切り換えるためのものである。切換手段３３は、入力端子３８、入力端子３９の入力電圧レベルの組み合わせと運転指令との対応を、標準設定とするかあるいは標準と異なる設定とするかを切り換えるためのものである。この実施の形態では、切換手段３２、切換手段３３として、それぞれ切換スイッチが使われている。切換スイッチ３２および切換スイッチ３３は、それぞれ２つの接点位置を有し、一接点側の端子は制御部内の回路電源(たとえばＤＣ１２Ｖなど)に接続、他の接点側の端子は回路ＧＮＤに接続されている。また、各コモン端子はそれぞれ第１の制御回路１１の入力端子３４、第２の制御回路２９の入力端子３５に接続されている。これにより、第１の制御回路１１および第２の制御回路２９は、それぞれ切換スイッチ３２および切換スイッチ３３の状態を入力する。なお、これ以外の部分については、すべて実施の形態４で説明した内容と同様である。
【００３１】
次に、動作について説明する。切換スイッチ３２が回路電源側に切り換えられているとき、入力端子３４にはＨｉレベルの電圧が設定される。また、切換スイッチ３２が回路ＧＮＤ側に切り換えられていれば、入力端子３４にはＬｏレベルの電圧が設定される。切換スイッチ３３の場合も同様である。
ここで、第１の換気装置本体１については内蔵する送風機に対して強運転、中運転、弱運転、運転停止の４種類の風量制御が可能であり、第２の換気装置本体２７については内蔵する送風機の仕様上、運転、停止の２種類の風量制御しかできない場合を考える。このとき、切換スイッチ３２を回路電源側に切り換え、切換スイッチ３３を回路ＧＮＤ側に切り換えておくものとする。これによって、入力端子３４にはＨｉレベル電圧が設定され、入力端子３５にはＬｏレベル電圧が設定される。
スイッチ回路９ａにはスイッチ１２、スイッチ１４、スイッチ１６が設けられており、これらのスイッチの操作により、４種の波形信号を出力することができる。第１の入力回路１０はその波形信号を正半波成分および負半波成分に分離する。第１の制御回路１１は、入力端子３４のＨｉレベル設定により、第１の入力回路１０からの正半波成分および負半波成分を、標準設定された運転指令として判断する。すなわち、入力端子２２、入力端子２５の入力電圧レベルの組み合わせ(Ｌｏ、周期的なＨｉ)、(周期的なＨｉ、Ｌｏ)、(周期的なＨｉ、周期的なＨｉ)、(Ｌｏ、Ｌｏ)に対してそれぞれ風量強運転、風量中運転、風量弱運転、運転停止の運転モードで運転するように送風機４および送風機５を制御する。それに対して、第２の制御回路２９は、入力端子３５のＬｏレベル設定により、第２の入力回路２８からの正半波成分および負半波成分を、標準設定とは異なる設定の運転指令で送風機３６および送風機３７を制御する。すなわち、入力端子３８、入力端子３９の入力電圧レベルの組み合わせ(Ｌｏ、周期的なＨｉ)、(周期的なＨｉ、Ｌｏ)、(周期的なＨｉ、周期的なＨｉ)、(Ｌｏ、Ｌｏ) に対してそれぞれ運転、運転、運転、停止の運転モードで運転するように各送風機を制御する。
すなわち、スイッチ回路９ａにおけるスイッチの操作に対して、第１の換気装置本体１と第２の換気装置本体２７とで、それぞれ内蔵する送風機の仕様に合った運転指令に切り換えて、各送風機の運転制御を行う。
【００３２】
次に、第１の換気装置本体１も、第２の換気装置本体２７もともに同じ仕様の送風機を有しており、風量強運転、風量中運転、風量弱運転、運転停止の４種類の風量制御が可能であるものとする。ただし、それぞれの部屋の条件が異なり、例えば第１の換気装置本体１が設置された部屋は、運転時の音を小さく抑えたい寝室などであり、強運転することが望ましくないものとする。それに対して、第２の換気装置本体２７が設置された別の部屋は、強中弱すべてを指令どおりに運転したい部屋であるものとする。この場合、切換スイッチ３２を回路ＧＮＤ側に、切換スイッチ３３を回路電源側に切り換えておく。これにより、第１の制御回路１１は入力端子３４のＬｏレベル設定により、標準設定とは異なる設定の運転指令で送風機４および送風機５を制御する。また、第２の換気装置本体２７は入力端子３５のＨｉレベル設定により、標準設定の運転指令で送風機３６および送風機３７を制御する。すなわち、例えば、スイッチ回路９ａにおけるスイッチ１２のオン、スイッチ１４のオン、スイッチ１６のオン、すべてのスイッチのオフに対して、第１の換気装置本体１はそれぞれ風量中運転、風量弱運転、風量弱運転、運転停止を行い、第２の換気装置本体２７は風量強運転、風量中運転、風量弱運転、運転停止を行う。
すなわち、スイッチ回路９ａにおけるスイッチの操作に対して、第１の換気装置本体１と第２の換気装置本体２７とで、それぞれが設置された部屋の条件に合った運転指令に切り換えて、各送風機の運転制御を行う。
【００３３】
以上のような構成としたので、複数台の換気装置本体を設置する場合において、それぞれの換気装置本体が異なる仕様の場合であっても、同じ仕様の換気装置本体が異なる条件の部屋に設置された場合であっても、１台のスイッチ回路のスイッチ操作に対して、それぞれ異なる運転指令に判断して一括制御することができる。したがって、配線の接続作業箇所が少なく、誤配線も生じない。さらには、信号線自体の材料費も大きく低減できる。
なお、この実施の形態では、複数台の換気装置本体による換気装置の場合で説明したが、１台の換気装置本体でも実施可能である。すなわち、換気装置本体の仕様に係らず、同じ仕様のスイッチ回路を使用できるので、設置工事の作業が簡単になる。
また、この実施の形態では、切換手段として切換スイッチを使って説明したが、その他の切換手段例えば制御回路としてマイクロコンピュータを用い、換気装置本体の仕様、部屋の運転条件などに対応させて、そのプログラムを書き換えることなどでも実現可能である。
【符号の説明】
【００３４】
１  換気装置本体
４  送風機
５  送風機
７  商用交流電源
７ａ  接地極
７ｂ  非接地極
９ａ  スイッチ回路
１０  入力回路
１１  制御回路
１２  スイッチ
１３  整流素子
１４  スイッチ
１５  整流素子
１６  スイッチ
１７ａ  フォトカプラ発光部
１７ｂ  フォトカプラ受光部
１８ａ  フォトカプラ発光部
１８ｂ  フォトカプラ受光部
２６  信号線
２７  第２の換気装置本体
２８  第２の入力回路
２９  第２の制御回路
３０  信号線
３１  信号線
３２  切換手段
３３  切換手段
３６  送風機
３７  送風機
【図１】
2011038665.tif 000003
【図２】
2011038665.tif 000004
【図３】
2011038665.tif 000005
【図４】
2011038665.tif 000006
【図５】
2011038665.tif 000007
【図６】
2011038665.tif 000008
【図７】
2011038665.tif 000009
【図８】
2011038665.tif 000010
【図９】
2011038665.tif 000011